(57)【要約】【課題】  発信先端末のＷｅｂサーバーにアクセス可能なＩＰ電話システムを提供する。【解決手段】  発信元端末３の第１のＩＰ電話機５は、接続要求送信部２２、接続応答受信部２３、接続応答から発信先ＩＰアドレスを抽出する発信先ＩＰアドレス抽出部２４を有し、Ｗｅｂブラウザ６は、通話セッションの確立後、Ｗｅｂサーバーにアクセス要求を送信するアクセス要求送信部３２を有する。発信先端末４の第２のＩＰ電話機７は、接続要求受信部４２、接続応答送信部４３、接続要求から発信元ＩＰアドレスを抽出する第１の発信元ＩＰアドレス抽出部４４を有し、Ｗｅｂサーバー８は、アクセス要求受信部４７、アクセス要求から発信元ＩＰアドレスを抽出する第２の発信元ＩＰアドレス抽出部４８、ＩＰアドレス抽出部４４及びＩＰアドレス抽出部４８がそれぞれ抽出したＩＰアドレスが一致していれば、アクセスを許可するアクセス許可部４９を有する。【選択図】  図４
2005101745.tif 000002
【特許請求の範囲】
【請求項１】
呼制御を中継するＶｏＩＰサーバーを有するＩＰ網と、
ＩＰ網を介して音声通信を行う第１のＩＰ電話機、及び、ＷｅｂサーバーにアクセスするＷｅｂブラウザからなる発信元端末と、
ＩＰ網を介して音声通信を行う第２のＩＰ電話機、及び、この第２のＩＰ電話機に割り当てられるＩＰアドレスと同一のＩＰアドレスが割り当てられるＷｅｂサーバーからなる発信先端末とを備え、
上記第１のＩＰ電話機は、
上記ＶｏＩＰサーバーに対して接続要求を送信する接続要求送信手段と、
上記接続要求に基づいて上記第２のＩＰ電話機から返送される接続応答を受信する接続応答受信手段と、
受信した接続応答から発信先ＩＰアドレスを抽出する発信先ＩＰアドレス抽出手段とを有し、
上記Ｗｅｂブラウザは、
上記接続要求に基づく通話セッションの確立後、抽出された発信先ＩＰアドレスに基づいて上記Ｗｅｂサーバーに対してアクセス要求を送信するアクセス要求送信手段を有し、
上記第２のＩＰ電話機は、
上記ＶｏＩＰサーバーから上記接続要求を受信する接続要求受信手段と、
上記接続要求に基づいて、自局に割り当てられたＩＰアドレスを含む接続応答を上記第１のＩＰ電話機に対して返送する接続応答返送手段と、
受信した接続要求から発信元ＩＰアドレスを抽出する第１の発信元ＩＰアドレス抽出手段とを有し、
上記Ｗｅｂサーバーは、
上記Ｗｅｂブラウザからの上記アクセス要求を受信するアクセス要求受信手段と、
受信したアクセス要求から発信元ＩＰアドレスを抽出する第２の発信元ＩＰアドレス抽出手段と、
上記第１の発信元ＩＰアドレス抽出手段及び上記第２の発信元ＩＰアドレス抽出手段がそれぞれ抽出した発信元ＩＰアドレスが一致していれば、上記Ｗｅｂブラウザからのアクセスを許可するアクセス許可手段とを有することを特徴とするＩＰ電話システム。
【請求項２】
上記第２のＩＰ電話機は、
受信した接続要求から発信元ＩＰ電話番号を抽出する発信元ＩＰ電話番号抽出手段を有し、
上記Ｗｅｂサーバーは、
アクセスを許可するＩＰ電話番号を記憶するＩＰ電話番号記憶手段を有し、
上記アクセス許可手段は、抽出された発信元ＩＰ電話番号が上記ＩＰ電話番号記憶手段に記憶されている場合に、アクセスを許可することを特徴とする請求項１に記載のＩＰ電話システム。
【請求項３】
上記第２のＩＰ電話機は、
ユーザが操作入力を行うための操作入力手段を有し、
上記Ｗｅｂサーバーは、
上記通話セッションの確立後における操作入力に基づいて、抽出された発信元ＩＰ電話番号を上記ＩＰ電話番号記憶手段に記憶させるＩＰ電話番号自動登録手段を有することを特徴とする請求項２に記載のＩＰ電話システム。
【請求項４】
上記第２のＩＰ電話機は、
ユーザが操作入力を行うための操作入力手段を有し、
上記Ｗｅｂサーバーは、
上記通話セッションの確立後における操作入力に基づいてオン状態となる許可フラグを有し、
上記アクセス許可手段は、上記許可フラグがオン状態である場合にアクセスを許可することを特徴とする請求項１に記載のＩＰ電話システム。
【請求項５】
上記許可フラグは、上記通話セッションの切断に基づいてオフ状態となることを特徴とする請求項４に記載のＩＰ電話システム。
【請求項６】
上記許可フラグは、上記通話セッションの切断後、所定時間が経過するとオフ状態となることを特徴とする請求項５に記載のＩＰ電話システム。
【請求項７】
上記許可フラグは、上記通話セッションの切断後における操作入力に基づいてオフ状態となることを特徴とする請求項４に記載のＩＰ電話システム。
【請求項８】
ＩＰ網を介して音声通信を行うＩＰ電話機と、接続要求に基づく通話セッションの確立後に発信元からのアクセスを許可するＷｅｂサーバーに対してアクセス要求を送信するＷｅｂブラウザとからなる通信端末において、
ＩＰ網上のＶｏＩＰサーバーに対して上記接続要求を送信する接続要求送信手段と、
上記接続要求に基づいて発信先から返送される接続応答を受信する接続応答受信手段と、
上記接続応答から発信先ＩＰアドレスを抽出する発信先ＩＰアドレス抽出手段と、
上記通話セッションの確立後、抽出された発信先ＩＰアドレスに基づいて上記Ｗｅｂサーバーに対してアクセス要求を送信するアクセス要求送信手段とを備えたことを特徴とする通信端末。
【請求項９】
ＩＰ網を介して音声通信を行うＩＰ電話機と、接続要求に基づく通話セッションの確立後に発信先にアクセス要求を送信するＷｅｂブラウザからアクセス可能なＷｅｂサーバーとからなる通信端末において、
ＩＰ網上のＶｏＩＰサーバーから上記接続要求を受信する接続要求受信手段と、
上記接続要求に基づいて、自局に割り当てられたＩＰアドレスを含む接続応答を発信元に対して返送する接続応答返送手段と、
受信した接続要求から発信元ＩＰアドレスを抽出する第１の発信元ＩＰアドレス抽出手段と、
上記Ｗｅｂブラウザからの上記アクセス要求を受信するアクセス要求受信手段と、
受信したアクセス要求から発信元ＩＰアドレスを抽出する第２の発信元ＩＰアドレス抽出手段と、
上記第１の発信元ＩＰアドレス抽出手段及び上記第２の発信元ＩＰアドレス抽出手段がそれぞれ抽出した発信元ＩＰアドレスが一致していれば、上記Ｗｅｂブラウザからのアクセスを許可するアクセス許可手段とを備えたことを特徴とする通信端末。
【発明の詳細な説明】
【技術分野】
【０００１】
本発明は、ＩＰ電話システム及び通信端末に係り、さらに詳しくは、ＩＰ網を介して行われる通話時に発信先端末のＷｅｂサーバーにアクセス可能なＩＰ電話システムの改良に関する。
【背景技術】
【０００２】
ブラウザ機能を備えた情報処理端末では、インターネット上の様々なＷｅｂサイトを閲覧することができる。ユーザは、Ｗｅｂサイトを閲覧する場合、Ｗｅｂサーバーに割り当てられているＩＰアドレスなどを入力する必要がある。しかし、ＩＰアドレスは通常公開されていないので、Ｗｅｂサーバーにアクセスするためには、Ｗｅｂサーバーの管理者にＩＰアドレスを問合せなければならず、極めて煩わしかった。仮に、ＩＰアドレスを取得できたとしても、ＩＰアドレスを操作入力するのは面倒であった。また、Ｗｅｂサーバーの管理者にとっては、ＩＰアドレスさえ入手できれば常にアクセス可能であるので、意図しないユーザからのアクセスを拒否するのが容易ではないという問題があった。
【特許文献１】特開２００２−９８３４号公報
【特許文献２】特開２００２−１９９０２７号公報
【発明の開示】
【発明が解決しようとする課題】
【０００３】
上述した通り、従来の情報処理端末では、ＷｅｂサーバーにアクセスするためのＩＰアドレスの取得及び入力操作が煩わしいという問題があった。また、従来のＷｅｂサーバーでは、意図しないユーザからのアクセスを拒否するのが容易ではないという問題があった。
【０００４】
本発明は、上記事情に鑑みてなされたものであり、利便性を向上させたＩＰ電話システム及び通信端末を提供することを目的としている。特に、通話相手にＩＰ電話をかけるだけで発信先端末のＷｅｂサーバーにアクセス可能なＩＰ電話システムを提供することを目的としている。また、セキュリティーを向上させたＩＰ電話システムを提供することを目的としている。
【課題を解決するための手段】
【０００５】
本発明によるＩＰ電話システムは、呼制御を中継するＶｏＩＰサーバーを有するＩＰ網と、ＩＰ網を介して音声通信を行う第１のＩＰ電話機、及び、ＷｅｂサーバーにアクセスするＷｅｂブラウザからなる発信元端末と、ＩＰ網を介して音声通信を行う第２のＩＰ電話機、及び、この第２のＩＰ電話機に割り当てられるＩＰアドレスと同一のＩＰアドレスが割り当てられるＷｅｂサーバーからなる発信先端末により構成される。
【０００６】
第１のＩＰ電話機は、上記ＶｏＩＰサーバーに対して接続要求を送信する接続要求送信手段と、上記接続要求に基づいて上記第２のＩＰ電話機から返送される接続応答を受信する接続応答受信手段と、受信した接続応答から発信先ＩＰアドレスを抽出する発信先ＩＰアドレス抽出手段とを有する。Ｗｅｂブラウザは、上記接続要求に基づく通話セッションの確立後、抽出された発信先ＩＰアドレスに基づいて上記Ｗｅｂサーバーに対してアクセス要求を送信するアクセス要求送信手段を有する。
【０００７】
第２のＩＰ電話機は、上記ＶｏＩＰサーバーから上記接続要求を受信する接続要求受信手段と、上記接続要求に基づいて、自局に割り当てられたＩＰアドレスを含む接続応答を上記第１のＩＰ電話機に対して返送する接続応答返送手段と、受信した接続要求から発信元ＩＰアドレスを抽出する第１の発信元ＩＰアドレス抽出手段とを有する。Ｗｅｂサーバーは、上記Ｗｅｂブラウザからの上記アクセス要求を受信するアクセス要求受信手段と、受信したアクセス要求から発信元ＩＰアドレスを抽出する第２の発信元ＩＰアドレス抽出手段と、上記第１の発信元ＩＰアドレス抽出手段及び上記第２の発信元ＩＰアドレス抽出手段がそれぞれ抽出した発信元ＩＰアドレスが一致していれば、上記Ｗｅｂブラウザからのアクセスを許可するアクセス許可手段とを有する。
【０００８】
この様な構成によれば、接続要求に基づいて返送される接続応答から発信先ＩＰアドレスが抽出されるので、ＩＰ網を介して発信先端末の第２のＩＰ電話機に接続要求を送信することにより、発信先端末のＷｅｂサーバーに割り当てられているＩＰアドレスを取得することができる。つまり、通話相手にＩＰ電話をかけることによって容易に発信先ＩＰアドレスを入手することができ、発信先端末のＷｅｂサーバーにアクセスすることができる。また、接続応答から抽出された発信先ＩＰアドレスに基づいて発信元端末のＷｅｂブラウザがＷｅｂサーバーにアクセス要求を送信するので、発信先ＩＰアドレスを操作入力する手間を省くことができる。さらに、接続要求に基づく通話セッションの確立後にアクセス要求が送信され、このアクセス要求から抽出された発信元ＩＰアドレスと、接続要求から抽出された発信元ＩＰアドレスとが一致している場合に、Ｗｅｂサーバーはアクセスを許可するので、ＩＰ電話をかけてきた通話相手（発信元端末）のＷｅｂブラウザからのアクセスだけを許可することができる。
【０００９】
本発明によるＩＰ電話システムは、上記構成に加え、上記第２のＩＰ電話機が、受信した接続要求から発信元ＩＰ電話番号を抽出する発信元ＩＰ電話番号抽出手段を有し、上記Ｗｅｂサーバーが、アクセスを許可するＩＰ電話番号を記憶するＩＰ電話番号記憶手段を有し、上記アクセス許可手段が、抽出された発信元ＩＰ電話番号が上記ＩＰ電話番号記憶手段に記憶されている場合に、アクセスを許可するように構成される。この様な構成によれば、接続要求から抽出された発信元ＩＰ電話番号と同一のＩＰ電話番号がＩＰ電話番号記憶手段に記憶されている場合に、Ｗｅｂサーバーはアクセスを許可するので、ＩＰ電話番号が予め登録されている通話相手（発信元端末）からのアクセスだけを許可することができる。
【００１０】
本発明によるＩＰ電話システムは、上記構成に加え、上記第２のＩＰ電話機が、ユーザが操作入力を行うための操作入力手段を有し、上記Ｗｅｂサーバーが、上記通話セッションの確立後における操作入力に基づいて、抽出された発信元ＩＰ電話番号を上記ＩＰ電話番号記憶手段に記憶させるＩＰ電話番号自動登録手段を有するように構成される。この様な構成によれば、通話セッションの確立後における操作入力に基づいて、発信元ＩＰ電話番号が記憶されるので、Ｗｅｂサーバーの管理者は、ＩＰ電話による通話中に操作入力することによって通話相手（発信元端末）のＩＰ電話番号を必要に応じて自動的に登録することができ、アクセスを許可することができる。
【００１１】
本発明によるＩＰ電話システムは、上記構成に加え、上記第２のＩＰ電話機が、ユーザが操作入力を行うための操作入力手段を有し、上記Ｗｅｂサーバーが、上記通話セッションの確立後における操作入力に基づいてオン状態となる許可フラグを有し、上記アクセス許可手段が、上記許可フラグがオン状態である場合にアクセスを許可するように構成される。この様な構成によれば、通話セッションの確立後における操作入力によりオン状態となる許可フラグの状態に基づいてアクセスが許可されるので、Ｗｅｂサーバーの管理者は、ＩＰ電話による通話中に操作入力することによって通話相手（発信元端末）からのアクセスを必要に応じて許可することができる。
【００１２】
本発明によるＩＰ電話システムは、上記構成に加え、上記許可フラグが、上記通話セッションの切断に基づいてオフ状態となるように構成される。この様な構成によれば、許可フラグが接続の切断に基づいてオフ状態となり、アクセスが許可されなくなるので、ＩＰ電話による通話が終われば、アクセスを自動的に拒否することができる。例えば、通話終了と同時にアクセスを拒否することができる。
【００１３】
本発明によるＩＰ電話システムは、上記構成に加え、上記許可フラグが、上記通話セッションの切断後、所定時間が経過するとオフ状態となるように構成される。この様な構成によれば、接続の切断後において所定時間が経過すると、許可フラグがオフ状態となり、アクセスが許可されないので、ＩＰ電話による通話の終了から所定時間が経過した後以降におけるアクセスを自動的に拒否することができる。
【００１４】
本発明によるＩＰ電話システムは、上記構成に加え、上記許可フラグが、上記通話セッションの切断後における操作入力に基づいてオフ状態となるように構成される。この様な構成によれば、接続の切断後における操作入力に基づいて許可フラグがオフ状態となり、アクセスが許可されないので、Ｗｅｂサーバーの管理者は、ＩＰ電話による通話の終了後に操作入力することによって、通話相手（発信元端末）からのアクセスを必要に応じて拒否することができる。
【００１５】
本発明による通信端末は、ＩＰ網を介して音声通信を行うＩＰ電話機と、接続要求に基づく通話セッションの確立後に発信元からのアクセスを許可するＷｅｂサーバーに対してアクセス要求を送信するＷｅｂブラウザとからなる通信端末であって、ＩＰ網上のＶｏＩＰサーバーに対して上記接続要求を送信する接続要求送信手段と、上記接続要求に基づいて発信先から返送される接続応答を受信する接続応答受信手段と、受信した接続応答から発信先ＩＰアドレスを抽出する発信先ＩＰアドレス抽出手段と、上記接続要求に基づく通話セッションの確立後、抽出された発信先ＩＰアドレスに基づいて上記Ｗｅｂサーバーに対してアクセス要求を送信するアクセス要求送信手段により構成される。
【００１６】
また、本発明による通信端末は、ＩＰ網を介して音声通信を行うＩＰ電話機と、接続要求に基づく通話セッションの確立後に発信先にアクセス要求を送信するＷｅｂブラウザからアクセス可能なＷｅｂサーバーとからなる通信端末であって、ＩＰ網上のＶｏＩＰサーバーから上記接続要求を受信する接続要求受信手段と、上記接続要求に基づいて、自局に割り当てられたＩＰアドレスを含む接続応答を発信元に対して返送する接続応答返送手段と、受信した接続要求から発信元ＩＰアドレスを抽出する第１の発信元ＩＰアドレス抽出手段と、上記Ｗｅｂブラウザからの上記アクセス要求を受信するアクセス要求受信手段と、受信したアクセス要求から発信元ＩＰアドレスを抽出する第２の発信元ＩＰアドレス抽出手段と、上記第１の発信元ＩＰアドレス抽出手段及び上記第２の発信元ＩＰアドレス抽出手段がそれぞれ抽出した発信元ＩＰアドレスが一致していれば、上記Ｗｅｂブラウザからのアクセスを許可するアクセス許可手段により構成される。
【発明の効果】
【００１７】
本発明によるＩＰ電話システム及び通信端末によれば、ＩＰ網を介して発信先端末に接続要求を送信することにより、発信先端末に割り当てられているＩＰアドレスを取得することができる。従って、通話相手にＩＰ電話をかけるだけで容易に発信先ＩＰアドレスを入手することができ、発信先端末のＷｅｂサーバーにアクセスすることができるので、利便性を向上させることができる。また、発信元端末のＷｅｂブラウザが抽出された発信先ＩＰアドレスに基づいてＷｅｂサーバーにアクセス要求を送信するので、発信先ＩＰアドレスを入力する手間を省くことができる。
【００１８】
また、接続要求に基づく通話セッションの確立後にアクセス要求が送信され、このアクセス要求から抽出された発信元ＩＰアドレスと、接続要求から抽出された発信元ＩＰアドレスとが一致している場合に、Ｗｅｂサーバーはアクセスを許可するので、ＩＰ電話をかけてきた通話相手（発信元端末）のＷｅｂブラウザからのアクセスだけを許可することができ、セキュリティーを向上させることができる。
【発明を実施するための最良の形態】
【００１９】
実施の形態１．
図１は、本発明の実施の形態１によるＩＰ電話システムの概略の一構成例を示した図である。このＩＰ電話システム１は、ＳＩＰサーバー９及び１０を有するＩＰ網２と、ＩＰ網２を介して音声通信などを行う発信元端末３と、ＩＰ網２を介して発信元端末３と音声通信などを行う発信先端末４からなる。ＩＰ網２は、通信プロトコルとしてＩＰ（Internet Protocol）を使用するインターネットやＬＡＮなどの通信ネットワークである。ＳＩＰ（Session Initiation Protocol）サーバー９及び１０は、ＩＰ網２を介して行われる呼制御を中継するＶｏＩＰ（Voice over IP）サーバーであり、プロキシサーバーやリダイレクトサーバーなどがある。ＳＩＰサーバー９及び１０は、それぞれＩＰ網２に接続されており、ＩＰ電話の加入者に割り当てられるＩＰ電話番号（例えば、０５０で始まる電話番号）１１に対応付けてＩＰアドレス１２を記憶するデータベース９ａ及び１０ａが接続されている。ここでは、発信元端末３に係る端末情報（ＩＰ電話番号及びＩＰアドレスなど）が登録されているサーバーをＳＩＰサーバー９とし、発信先端末４に係る端末情報が登録されているサーバーをＳＩＰサーバー１０としている。
【００２０】
ＩＰ網２を介して行われる音声通信では、まず、発信操作に基づいて発信元端末３が接続要求を送信し、この接続要求がＩＰ網２を介してＳＩＰサーバー９に伝送される。当該接続要求には、発信元端末３のＩＰアドレス（発信元ＩＰアドレス）と、発信先端末４のＩＰ電話番号（発信先ＩＰ電話番号）が含まれており、デジタル符号化されたパケットデータ（ＩＰパケット）として伝送される。ＳＩＰサーバー９は、これらの発信元端末３及び発信先端末４の情報に基づいて、接続要求をＳＩＰサーバー１０に伝送する。ＳＩＰサーバー１０では、ＳＩＰサーバー９から接続要求が伝送されると、発信先ＩＰ電話番号に対応するＩＰアドレスをデータベース１０ａから読み出し、読み出したＩＰアドレス（発信先ＩＰアドレス）に基づいて発信先端末４に対して接続要求を伝送する。
【００２１】
次に、発信先端末４は、接続要求が受信されると呼び出しを行い、オフフック操作に基づいて接続応答を返送する。この接続応答には、発信先端末４の発信先ＩＰアドレスが含まれており、ＩＰパケットにより伝送される。接続応答は、ＳＩＰサーバー１０及び９を介して発信元端末３に伝送される。この様にして、接続要求に基づく接続、すなわち、セッションが確立すると、発信元端末３及び発信先端末４間で通話が開始される。本実施の形態によるＩＰ電話システム１では、ＩＰ網２を介して行われる音声通信時に発信先端末４から返送される接続応答から発信先ＩＰアドレスを抽出することによって、発信元端末３が発信先端末４に対してアクセスを行っている。
【００２２】
発信元端末３は、音声通信を行うための第１のＩＰ電話機５と、ＷｅｂサーバーにアクセスするためのＷｅｂブラウザ６とからなる通信端末である。第１のＩＰ電話機５は、発信操作に基づいて、ＳＩＰサーバー９に対して接続要求を送信している。また、接続要求に基づいて発信先端末４から返送される接続応答が受信され、発信先ＩＰアドレスの抽出が行われる。Ｗｅｂブラウザ６は、例えばユーザの操作により起動し、接続要求に基づく通話セッションの確立後において、発信先端末４に対してアクセス要求の送信を行っている。第１のＩＰ電話機５及びＷｅｂブラウザ６には、同一のＩＰアドレスが割り当てられている。
【００２３】
発信先端末４は、音声通信を行うための第２のＩＰ電話機７と、この第２のＩＰ電話機７に割り当てられるＩＰアドレスと同一のＩＰアドレスが割り当てられるＷｅｂサーバー８からなる通信端末である。第２のＩＰ電話機７は、第１のＩＰ電話機５からＳＩＰサーバー９及び１０を介して伝送された接続要求を受信し、発信元端末３に対して接続応答の返送を行っている。Ｗｅｂサーバー８は、Ｗｅｂブラウザ６からのアクセス要求を受信し、受信したアクセス要求に基づいてアクセスの許可を行っている。
【００２４】
図２は、図１のＩＰ電話システムにおける発信元端末の詳細の一構成例を示したブロック図である。第１のＩＰ電話機５は、主制御部２１、接続要求送信部２２、接続応答受信部２３、発信先ＩＰアドレス抽出部２４、マイク２５、スピーカ２６、メモリ２７、操作入力部２８、ＳＩＰ制御部２９及びＶｏＩＰ制御部３０により構成され、Ｗｅｂブラウザ６は、セッション検出部３１及びアクセス要求送信部３２により構成されている。
【００２５】
接続要求送信部２２は、操作入力部２８における発信操作に基づいて、接続要求の送信処理を行っている。この接続要求は、ＳＩＰプロトコルに基づいて生成され、メモリ２７に記憶された発信元ＩＰアドレスと、操作入力された発信先ＩＰ電話番号とを含むＩＰパケットとしてＩＰ網２へ送信される。
【００２６】
接続応答受信部２３は、ＩＰ網２を介して第２のＩＰ電話機７から返送される接続応答の受信処理を行っている。この受信処理は、ＳＩＰプロトコルに基づいて行われる。受信処理後の接続応答データは、主制御部２１を介して発信先ＩＰアドレス抽出部２４に出力され、発信先ＩＰアドレスの抽出が行われる。接続応答データから抽出された発信先ＩＰアドレスは、主制御部２１を介してメモリ２７に格納される。この様にすれば、接続要求に基づいて返送される接続応答から発信先ＩＰアドレスが抽出されるので、発信先端末４のＷｅｂサーバー８に割り当てられているＩＰアドレスを容易に取得することができる。
【００２７】
マイク２５は、音声の入力装置であり、スピーカ２６は、音声信号の出力装置である。これらの入出力装置は、送受話装置を構成している。操作入力部２８は、ユーザにより操作入力が行われる入力装置である。ＳＩＰ制御部２９は、ＳＩＰプロトコルに基づく制御を行っている。ＶｏＩＰ制御部３０は、ＩＰ網２を介して行われる音声通信において伝送されるＶｏＩＰパケットの送受信制御を行っている。
【００２８】
セッション検出部３１は、主制御部２１を介して通話セッションの確立を検出する接続状態監視手段であり、接続要求に基づくセッションの確立が検出される。すなわち、発信元端末３及び発信先端末４間における通話の開始が検出される。
【００２９】
アクセス要求送信部３２は、接続応答から抽出された発信先ＩＰアドレスに基づいて、Ｗｅｂサーバー８に対するアクセス要求の送信処理を行っている。この送信処理は、ＨＴＴＰ（Hyper Text Transfer Protocol）プロトコルに基づいて行われ、通話セッションの確立検出後において、アクセス要求が発信先ＩＰアドレス及び発信元ＩＰアドレスを含むＩＰパケットとしてＩＰ網２へ送信される。この様にすれば、接続応答から抽出された発信先ＩＰアドレスに基づいてＷｅｂブラウザ６がＷｅｂサーバー８にアクセス要求を送信するので、発信先ＩＰアドレスを操作入力する手間を省くことができる。
【００３０】
図３は、図１のＩＰ電話システムにおける発信先端末の詳細の一構成例を示したブロック図である。第２のＩＰ電話機７は、主制御部４１、接続要求受信部４２、接続応答送信部４３、第１の発信元ＩＰアドレス抽出部４４、マイク２５、スピーカ２６、メモリ２７、操作入力部２８、ＳＩＰ制御部２９及びＶｏＩＰ制御部３０により構成され、Ｗｅｂサーバー８は、サーバー制御部４５、セッション検出部４６、アクセス要求受信部４７、第２の発信元ＩＰアドレス抽出部４８、アクセス許可部４９、カメラ５０及び各種情報記憶部５１により構成されている。
【００３１】
接続要求受信部４２は、ＩＰ網２を介して第１のＩＰ電話機５から送信される接続要求の受信処理を行っている。この受信処理は、ＳＩＰプロトコルに基づいて行われる。受信処理後の接続要求データは、主制御部４１を介して第１の発信元ＩＰアドレス抽出部４４に出力され、発信元ＩＰアドレスの抽出が行われる。接続要求データから抽出された発信元ＩＰアドレスは、主制御部４１を介してメモリ２７に格納される。
【００３２】
接続応答送信部４３は、操作入力部２８におけるオフフック操作に基づいて、接続応答の送信処理を行っている。この接続応答は、ＳＩＰプロトコルに基づいて生成され、発信先ＩＰアドレス（自局に割り当てられたＩＰアドレス）を含むＩＰパケットとしてＩＰ網２へ送信される。
【００３３】
セッション検出部４６は、第２のＩＰ電話機７における通話セッションの確立をサーバー制御部４５を介して検出する接続状態監視手段であり、接続応答に基づくセッションの確立が検出される。すなわち、発信元端末３及び発信先端末４間における通話の開始が検出される。
【００３４】
アクセス要求受信部４７は、ＩＰ網２を介してＷｅｂブラウザ６から送信されるアクセス要求の受信処理を行っている。この受信処理は、ＨＴＴＰプロトコルに基づいて行われる。受信処理後のアクセス要求データは、サーバー制御部４５を介して第２の発信元ＩＰアドレス抽出部４８に出力され、発信元ＩＰアドレスの抽出が行われる。
【００３５】
アクセス許可部４９は、Ｗｅｂブラウザ６からのアクセスの許可処理を行っている。このアクセス許可処理は、通話セッションの確立検出後において行われ、接続要求から抽出された発信元ＩＰアドレスと、アクセス要求から抽出された発信元ＩＰアドレスとが一致していれば、アクセスが許可される。この様にすれば、ＩＰ電話をかけてきた通話相手（発信元端末３）のＷｅｂブラウザ６からのアクセスだけを許可することができる。
【００３６】
各種情報記憶部５１は、Ｗｅｂサイトに関するファイルデータを記憶する記憶手段であり、テキストファイル、カメラ５０により撮影された画像ファイルなどが記憶されている。発信元端末３のユーザは、Ｗｅｂブラウザ６を用いてＷｅｂサーバー８にアクセスすれば、アクセスが許可された場合に、これらのファイルデータをＷｅｂサーバー８から取り込むことができる。例えば、発信元端末３のユーザは、ＩＰ電話による通話時に、Ｗｅｂサーバー８上の画像ファイルを閲覧することができる。また、プリンタ機能を有するＷｅｂサーバーであれば、発信元端末から発信先端末へ文書データなどを送信することにより、Ｗｅｂサーバーにおいてプリントアウトさせることができる。また、Ｗｅｂサーバー８のカメラ５０により撮影された映像をＷｅｂサイト上でリアルタイムに閲覧することができるようにすれば、発信元端末３のユーザは、ＩＰ電話をかけるとともにＷｅｂサーバー８にアクセスすることによって、会話を行いながら発信先端末４側の映像をリアルタイムに見ることができる。従って、この様なＩＰ電話システム１を使えば、ＴＶ電話を実現することができる。
【００３７】
なお、第２のＩＰ電話機７及びＷｅｂサーバー８には、同一のＩＰアドレス（発信先ＩＰアドレス）が割り当てられるが、使用するプロトコルが異なっているので、自分宛のパケットだけを取り込むことができる。例えば、第２のＩＰ電話機７では、ＳＩＰプロトコル、及び、ＳＩＰサーバー９及び１０による接続制御によって決定されるＶｏＩＰプロトコルが用いられ、接続要求などのパケットを受信することができる。また、Ｗｅｂサーバー８では、ＨＴＴＰプロトコルが用いられ、アクセス要求などのパケットを受信することができる。
【００３８】
図４は、図１のＩＰ電話システムにおける動作例を示したシーケンス図である。まず、第１のＩＰ電話機５の操作入力部２８においてオフフック操作を含む発信操作が行われると（ステップＳ２０１）、接続要求送信部２２により接続要求１０１が生成され、ＩＰ網２を介してＳＩＰサーバー９に送信される（ステップＳ２０２）。
【００３９】
ＳＩＰサーバー９は、接続要求１０１を受信すると、この接続要求１０１に基づいて、発信先端末４の端末情報が登録されたＳＩＰサーバー１０に対して接続要求１０２を送信する。送信後、ＳＩＰサーバー９は、接続要求１０２がネクストホップサーバーであるＳＩＰサーバー１０に受け取られると、特に指定されていないアクションが取られていることを示す試行中メッセージ１０４を発信元端末３に対して送信する。
【００４０】
ＳＩＰサーバー１０は、接続要求１０２を受信すると、この接続要求１０２に基づいて、発信先端末４の第２のＩＰ電話機７に対して接続要求１０３を送信する。送信後、ＳＩＰサーバー１０は、接続要求１０３が発信先端末４に受け取られると、試行中メッセージ１０５を発信元端末３に送信する。
【００４１】
第２のＩＰ電話機７の接続要求受信部４２において、接続要求１０３が受信されると（ステップＳ２０３）、第１の発信元ＩＰアドレス抽出部４４により接続要求１０３から発信元ＩＰアドレス１０６が抽出される（ステップＳ２０４）。抽出された発信元ＩＰアドレス１０６は、Ｗｅｂサーバー８に出力される。また、接続要求受信部４２は、接続要求１０３の受信に基づいて呼び出しを行い、呼び出し中メッセージ１０７がＩＰ網２を介してＳＩＰサーバー１０に送信される。
【００４２】
ＳＩＰサーバー１０は、呼び出し中メッセージ１０７を受信すると、この呼び出し中メッセージ１０７に基づいて、ＳＩＰサーバー９に対して呼び出し中メッセージ１０８を送信する。ＳＩＰサーバー９は、呼び出し中メッセージ１０８を受信すると、この呼び出し中メッセージ１０８に基づいて、発信元端末３に対して呼び出し中メッセージ１０９を送信する。
【００４３】
次に、接続応答送信部４３は、操作入力部２８におけるオフフック操作に基づいて、接続応答１１０を生成し、ＩＰ網２を介してＳＩＰサーバー１０に返送する（ステップＳ２０５）。
【００４４】
ＳＩＰサーバー１０は、接続応答１１０を受信すると、この接続応答１１０に基づいて、ＳＩＰサーバー９に対して接続応答１１１を送信する。ＳＩＰサーバー９は、接続応答１１１を受信すると、この接続応答１１１に基づいて、発信元端末３の第１のＩＰ電話機５に対して接続応答１１２を送信する。
【００４５】
第１のＩＰ電話機５の接続応答受信部２３において、接続応答１１２が受信されると（ステップＳ２０６）、発信先ＩＰアドレス抽出部２４により接続応答１１２から発信先ＩＰアドレス１１７が抽出される（ステップＳ２０７）。抽出された発信先ＩＰアドレス１１７は、メモリ２７に格納される。また、接続応答受信部２３は、接続応答１１２に基づいて、セッション確立の許可を促す確認メッセージ１１３をＳＩＰサーバー９にＩＰ網２を介して送信する。
【００４６】
ＳＩＰサーバー９は、確認メッセージ１１３を受信すると、この確認メッセージ１１３に基づいて、ＳＩＰサーバー１０に対して確認メッセージ１１４を送信する。ＳＩＰサーバー１０は、確認メッセージ１１４を受信すると、この確認メッセージ１１４に基づいて、発信先端末４に対して確認メッセージ１１５を送信する。この確認メッセージ１１５が第２のＩＰ電話機７により受信され、セッションの確立が許可されれば、第１のＩＰ電話機５及び第２のＩＰ電話機７間における通話１１６が開始される。
【００４７】
発信元端末３のＷｅｂブラウザ６は、操作入力部２８における起動操作に基づいて起動する（ステップＳ２０８）。アクセス要求送信部３２は、発信先ＩＰアドレス抽出部２４により抽出された発信先ＩＰアドレス１１７をメモリ２７から主制御部２１を介して取得するとともに、セッション検出部３１による通話セッションの確立１１８の検出結果に基づいてアクセス要求１１９を生成し、ＩＰ網２を介して発信先端末４のＷｅｂサーバー８に送信する（ステップＳ２０９）。
【００４８】
Ｗｅｂサーバー８におけるアクセス要求受信部４７によりアクセス要求１１９が受信されると（ステップＳ２１０）、第２の発信元ＩＰアドレス抽出部４８によりアクセス要求１１９から発信元ＩＰアドレスが抽出される（ステップＳ２１１）。アクセス許可部４９は、セッション検出部４６による通話セッションの確立の検出結果に基づいてＷｅｂブラウザ６からのアクセスを許可し（ステップＳ２１２）、アクセス要求１１９に基づくレスポンス１２０をＷｅｂブラウザ６に対して返送する。
【００４９】
本実施の形態によれば、接続要求に基づいて返送される接続応答から発信先ＩＰアドレス１１７が抽出されるので、ＩＰ網２を介して発信先端末４の第２のＩＰ電話機７に接続要求を送信することにより、発信先端末４のＷｅｂサーバー８に割り当てられているＩＰアドレスを取得することができる。つまり、通話相手にＩＰ電話をかけることによって容易に発信先ＩＰアドレス１１７を入手することができ、Ｗｅｂサーバー８にアクセスすることができる。また、接続応答から抽出された発信先ＩＰアドレス１１７に基づいて発信元端末３のＷｅｂブラウザ６がＷｅｂサーバー８にアクセス要求１１９を送信するので、発信先ＩＰアドレス１１７を操作入力する手間を省くことができる。さらに、接続要求に基づく通話セッションの確立１１８後にアクセス要求１１９が送信され、このアクセス要求１１９から抽出された発信元ＩＰアドレスと、接続要求から抽出された発信元ＩＰアドレス１０６とが一致している場合に、Ｗｅｂサーバー８はアクセスを許可するので、ＩＰ電話をかけてきた通話相手（発信元端末３）のＷｅｂブラウザ６からのアクセスだけを許可することができる。
【００５０】
実施の形態２．
実施の形態１では、発信元ＩＰアドレスに基づいてＷｅｂブラウザ６からのアクセスが許可される場合の例について説明した。これに対し、本実施の形態では、発信元ＩＰアドレスとともに発信元ＩＰ電話番号に基づいてアクセスが許可される場合について説明する。
【００５１】
図５は、本発明の実施の形態２による発信先端末の一構成例を示したブロック図である。本実施の形態による発信先端末６１は、図３の発信先端末４（実施の形態１）と比較すれば、第２のＩＰ電話機７に発信元ＩＰ電話番号抽出部６２を備え、Ｗｅｂサーバー８にＩＰ電話番号記憶部６３を備えている点で異なる。
【００５２】
発信元ＩＰ電話番号抽出部６２は、接続要求受信部４２により受信処理された接続要求データから発信元ＩＰ電話番号の抽出を行っている。ＩＰ電話番号記憶部６３は、ＩＰ電話番号を記憶するデータベースである。このＩＰ電話番号記憶部６３には、発信先端末６１のユーザによって複数のＩＰ電話番号が予め格納されている。
【００５３】
アクセス許可部６４は、発信元ＩＰ電話番号抽出部６２により抽出された発信元ＩＰ電話番号に基づいて、Ｗｅｂブラウザ６からのアクセスの許可処理を行っている。この許可処理は、上記発信元ＩＰ電話番号と同一のＩＰ電話番号がＩＰ電話番号記憶部６３に記憶されているか否かに基づいて行われ、発信元ＩＰアドレスが一致し、同一のＩＰ電話番号が記憶されている場合に、アクセスが許可される。
【００５４】
本実施の形態によれば、接続要求から抽出された発信元ＩＰ電話番号と同一のＩＰ電話番号がＩＰ電話番号記憶部６３に記憶されている場合に、Ｗｅｂサーバー８はアクセスを許可するので、ＩＰ電話番号が予め登録されている通話相手（発信元端末３）からのアクセスだけを許可することができる。
【００５５】
なお、本実施の形態では、発信元ＩＰ電話番号がＩＰ電話番号記憶部６３に予め登録されている端末からのアクセスのみが許可される場合の例について説明したが、本発明はこれに限られるものではない。例えば、ＩＰ電話番号記憶部６３に登録されていない端末からのアクセスの場合、接続要求から発信元ＩＰ電話番号を抽出し、ＩＰ電話番号記憶部６３に自動登録するようなものであっても良い。この場合、通話セッションの確立の検出結果と、通話セッションの確立後におけるユーザによる操作入力とに基づいて、発信元ＩＰ電話番号抽出部６２により抽出された発信元ＩＰ電話番号をＩＰ電話番号記憶部６３に記憶させるＩＰ電話番号自動登録手段を有し、発信元ＩＰ電話番号の自動登録後にアクセスが許可される。
【００５６】
この様にすれば、通話セッションの確立後における操作入力に基づいて、発信元ＩＰ電話番号が記憶されるので、Ｗｅｂサーバー８の管理者は、ＩＰ電話による通話中に操作入力することによって通話相手（発信元端末３）のＩＰ電話番号を必要に応じて自動的に登録することができ、アクセスを許可することができる。
【００５７】
実施の形態３．
実施の形態１では、接続要求から抽出された発信元ＩＰアドレスと、アクセス要求から抽出された発信元ＩＰアドレスとが一致すれば、Ｗｅｂブラウザ６からのアクセスが許可される場合の例について説明した。これに対し、本実施の形態では、発信元ＩＰアドレスとともにユーザによる操作入力に基づいてアクセスが許可される場合について説明する。
【００５８】
図６は、本発明の実施の形態３による発信先端末の一構成例を示したブロック図である。本実施の形態による発信先端末７１は、図３の発信先端末４（実施の形態１）と比較すれば、Ｗｅｂサーバー８に許可フラグ７２を備えている点で異なる。
【００５９】
許可フラグ７２は、通話セッションの確立検出後における操作入力に基づいてオン状態となるフラグである。また、この許可フラグ７２は、接続の切断と同時にオフ状態となる。アクセス許可部７３は、発信元ＩＰアドレスが一致するとともに、許可フラグ７２がオン状態である場合に、アクセスを許可する。また、許可フラグ７２が接続の切断と同時にオフ状態となると、アクセスは許可されない。
【００６０】
本実施の形態によれば、通話セッションの確立後における操作入力によりオン状態となる許可フラグ７２の状態に基づいてアクセスが許可されるので、Ｗｅｂサーバー８の管理者は、ＩＰ電話による通話中に操作入力することによって通話相手（発信元端末３）からのアクセスを必要に応じて許可することができる。また、許可フラグ７２が接続の切断と同時にオフ状態となり、アクセスが許可されないので、ＩＰ電話による通話の終了と同時にアクセスを自動的に拒否することができる。
【００６１】
なお、本実施の形態では、許可フラグ７２が接続の切断と同時にオフ状態となる場合の例について説明したが、本発明はこれに限られるものではない。例えば、許可フラグが、接続の切断後、所定時間が経過するとオフ状態となるようなフラグであっても良い。この様にすれば、接続の切断後において所定時間が経過すると、許可フラグがオフ状態となり、アクセスが許可されないので、ＩＰ電話による通話の終了から所定時間が経過した後以降におけるアクセスを自動的に拒否することができる。
【００６２】
また、許可フラグが、接続の切断後における操作入力に基づいてオフ状態となるようなフラグであっても良い。この様にすれば、接続の切断後における操作入力に基づいて許可フラグがオフ状態となり、アクセスが許可されないので、Ｗｅｂサーバー８の管理者は、ＩＰ電話による通話の終了後に操作入力することによって、通話相手（発信元端末３）からのアクセスを必要に応じて拒否することができる。
【図面の簡単な説明】
【００６３】
【図１】本発明の実施の形態１によるＩＰ電話システムの概略の一構成例を示した図である。
【図２】図１のＩＰ電話システムにおける発信元端末の詳細の一構成例を示したブロック図である。
【図３】図１のＩＰ電話システムにおける発信先端末の詳細の一構成例を示したブロック図である。
【図４】図１のＩＰ電話システムにおける動作例を示したシーケンス図である。
【図５】本発明の実施の形態２による発信先端末の一構成例を示したブロック図である。
【図６】本発明の実施の形態３による発信先端末の一構成例を示したブロック図である。
【符号の説明】
【００６４】
１  ＩＰ電話システム
２  ＩＰ網
３  発信元端末
４，６１，７１  発信先端末
５  第１のＩＰ電話機
６  Ｗｅｂブラウザ
７  第２のＩＰ電話機
８  Ｗｅｂサーバー
９，１０  ＳＩＰサーバー
９ａ，１０ａ  データベース
１１  ＩＰ電話番号
１２  ＩＰアドレス
２１  主制御部
２２  接続要求送信部
２３  接続応答受信部
２４  発信先ＩＰアドレス抽出部
２５  マイク
２６  スピーカ
２７  メモリ
２８  操作入力部
２９  ＳＩＰ制御部
３０  ＶｏＩＰ制御部
３１  セッション検出部
３２  アクセス要求送信部
４１  主制御部
４２  接続要求受信部
４３  接続応答送信部
４４  第１の発信元ＩＰアドレス抽出部
４５  サーバー制御部
４６  セッション検出部
４７  アクセス要求受信部
４８  第２の発信元ＩＰアドレス抽出部
４９，６４，７３  アクセス許可部
５０  カメラ
５１  各種情報記憶部
６２  発信元ＩＰ電話番号抽出部
６３  ＩＰ電話番号記憶部
７２  許可フラグ
【図１】
2005101745.tif 000003
【図２】
2005101745.tif 000004
【図３】
2005101745.tif 000005
【図４】
2005101745.tif 000006
【図５】
2005101745.tif 000007
【図６】
2005101745.tif 000008